(57)【要約】      （修正有）【課題】  昼間等の明るい時間若しくは照明等により照らされている明時と、夜間若しくは照明等の存在しない暗時等、周囲の明るさに応じて、所望の表示を外部に現出させることの出来る表示体を提供する。【解決手段】  発光して所望の表示を表出することの出来る第１の層３と、該第１の層の上に積層され所望の表示を現出することの出来る第２の層５からなり、周囲の明るさに応じて２つの層のいずれかの表示を外部に現出させることが出来るようにした。【選択図】      図１
2005344441.tif 000002
【特許請求の範囲】
【請求項１】
発光して所望の表示を表出することの出来る第１の層と、該第１の層の上に積層され所望の表示を現出することの出来る第２の層からなり、周囲の明るさに応じて２つの層のいずれかの表示を外部に現出させることが出来るようにしたことを特徴とする表示体。
【請求項２】
ベース部材に第１の層を積層し、第１の層の上に第２の層を積層して全体として一枚のシート状に形成されていることを特徴とする請求項１記載の表示体。
【請求項３】
シート部材の裏面には接着剤層が形成され、所望の箇所に貼着可能となっていることを特徴とする請求項２記載の表示体。
【請求項４】
第１の層と第２の層の層間にシート状孔あき部材を積層し、該シート状孔あき部材の開孔から第１の層が発する光を放出させ、第一の層の表示を外部に現出させるようにしたことを特徴とする請求項１乃至３のいすれかに記載の表示体。
【請求項５】
第１の層が蓄光層からなり、所望の表示に倣った形状に蓄光剤を配置して形成されていること特徴とする請求項１乃至４のいずれかに記載の表示体。
【請求項６】
第１の層が表面に蓄光剤を塗布したシート状部材からなり、所望の表示に倣った形状にカッティングして配置したことを特徴とする請求項１乃至４のいずれかに記載の表示体。
【請求項７】
第１の層が所望の表示に倣った形状に発光ダイオードを配置して形成するようにしたことを特徴とする請求項１乃至４のいずれかに記載の表示体。
【請求項８】
第２の層が光透過性インクにより形成されていることを特徴とする請求項１乃至８のいずれかに記載の表示体。
【請求項９】
第２の層がシート状孔あき部材の非開孔部に形成されていることを特徴とする請求項２乃至８のいずれかに記載の表示体。
【発明の詳細な説明】
【技術分野】
【０００１】
本発明は、建物の床面・壁面等の所望の位置に貼着可能であり、暗時と明時で異なる表示を現出することの出来る表示体に関する。
【背景技術】
【０００２】
従来より、看板・警告板等において周囲の明るさに影響されずに表示を視認することが出来るように、蓄光材料を使用したものは種々提供されてきているが、これらは明時も暗時も同一の表示をすることを目的としており、明時と暗時で異なる表示を現出させることを目的としたものは提供されていない。例えば、実用新案登録第３０６６９６７号には、蓄光塗料を塗布したシートの上に、図柄・図形を印刷した積層シートが開示されている。該積層シートは昼間は外光により図柄・図形が表示されると共に、図柄・図形を除く周囲の蓄光塗料に光が蓄積され、夜間には、図柄・図形以外の部分が発光して、図柄・図形を白抜き文字の様に表示することが出来るものである。又、特開平１１−１０９８９９号公報には、蓄光部材上に所望の形状にカッティングした着色シートを積層して、昼間は着色シートを視認することで所望の形状を視認することが出来ると共に、夜間は着シートが積層されていない箇所の蓄光部材が光を放つことで、前記所望の形状が現出するようにした積層表示物が開示されている。
【０００３】
上記の技術にあっては、蓄光素材を用いることで夜間等の暗時であっても所望の図形等を現出することが出来るようになっているが、あくまでも昼間等の明時と同一の形状を現出し続けることを目的としており、明時と暗時で全く異なる表示を現出させることは全く考えられていなかった。
【０００４】
【特許文献１】登録実用新案第３０６６９６７号公報
【特許文献２】特開平１１−１０９８９９号公報
【発明の開示】
【発明が解決しようとする課題】
【０００５】
この発明が解決しようとする課題は、昼間等の明るい時間若しくは照明等により照らされている明時と、夜間若しくは照明等の存在しない暗時等、周囲の明るさに応じて、第１の層と第２の層のいずれかに形成された所望の表示を外部に現出させることの出来る表示体を提供せんとするものである。
【課題を解決するための手段】
【０００６】
上記課題を解決するためにこの発明が採った手段は、発光して所望の表示を表出することの出来る第１の層と、該第１の層の上に積層され所望の表示を現出することの出来る第２の層からなり、周囲の明るさに応じて２つの層のいずれかの表示を外部に現出させることが出来るようにしたことを特徴とする。
【０００７】
又、ベース部材に第１の層を積層し、第１の層の上に第２の層を積層して全体として一枚のシート状に形成されていることを特徴とする。
【０００８】
更に、シート部材の裏面には接着剤層が形成され、所望の箇所に貼着可能となっていることを特徴とする。
【０００９】
更に、第１の層と第２の層の層間にシート状孔あき部材を積層し、該シート状孔あき部材の開孔から第１の層が発する光を放出させ、第一の層の表示を外部に現出させるようにしたことを特徴とする。
【００１０】
更に、第１の層が蓄光層からなり、所望の表示に倣った形状に蓄光剤を配置して形成されていること特徴とする。
【００１１】
更に、第１の層が表面に蓄光剤を塗布したシート状部材からなり、所望の表示に倣った形状にカッティングして配置したことを特徴とする。
【００１２】
更に、第１の層が所望の表示に倣った形状に発光ダイオードを配置して形成するようにしたことを特徴とする。
【００１３】
更に、第２の層が光透過性インクにより形成されていることを特徴とする。
【００１４】
更に、第２の層がシート状孔あき部材の非開孔部に形成されていることを特徴とする。
【発明の効果】
【００１５】
本発明によれば昼間若しくは照明等により照らされている明時と、夜間若しくは照明等の存在しない暗時等周囲の明るさに応じて、第１の層と第２の層に形成されたいずれかの表示を外部に現出することが可能な表示体を提供することが出来る。
【発明を実施するための最良の形態】
【００１６】
本願発明は、夜間若しくは照明等の存在しない暗時において、所望の表示を現出することの出来る第１の層を形成し、該第１の層の上に、昼間若しくは照明等により照らされている明時に外光を利用して所望の表示を現出することの出来る第２の層を積層した構造を特徴とする。該第１の層は自ら光を放つことで所望の表示を現出させることが出来るものであれば良く、例えば、蓄光剤を用いたり、発光ダイオードを用いたりすることが可能である。又、第２の層は例えば印刷により形成することが可能であり、顔料系インクを用いたり、透過性インクを用いたりすることが出来る。前記顔料系インクを用いる場合には、第１の層をインクで被覆してしまうこととなり、第１の層により現出されるはずの表示が外部に現出されなくなってしまうので、この場合、後述のように両層の間にシート状孔あき物品を介在させることで、明時と暗時とで異なった表示を現出させることが可能となる。光透過性インクを用いた場合には、シート状孔あき部材を用いなくとも暗時において第１の層の光が第２の層を透過するため、第１の層の表示が外部に現出され視認することが出来る。
【００１７】
前記第１の層、第２の層は、表示を現出させたい箇所、例えば壁面や床面に直接形成することも出来るが、例えばベース部材に第１の層、第２の層を順に積層させ、全体としてシート状に形成するのが好ましい。又、ベース部材の裏面側には接着層を形成しておくことにより、任意の場所に貼着することが容易となるといった利点がある。
【００１８】
以下、本願発明を特に利便性に優れたシート状の表示体を例に挙げ詳細に説明する。ベース部材上に暗時に表示するための所望の表示を現出させる第１の層を形成し、該第１の層の上に明時に所望の表示を現出させるための第２の層を積層した構造を有し、ベース部材裏面に形成した接着層を用いて所望の箇所に貼着できることを特徴としている。ベース部材上に形成された第１の層は、暗時に自ら光を放つことの出来るものであれば良く特に限定されるものではない。例えば、蓄光剤、発光ダイオード等が利用出来る。ベースフィルムについても同様に特に素材が限定されるものではないが、屋外での使用を考慮すれば、耐光性・耐食性を有する素材が好ましい。尚、第１の層に発光ダイオード等の嵩のあるものを使用する場合には、これを保持することの出来る厚みの素材を用いるのが良い。
【実施例１】
【００１９】
図１は第１実施例にかかる発明の断面図を示したものである。(１)は本願発明の表示体であり、ベース部材(２)、第１の層(３)、シート状孔あき部材(４)、第２の層(５)を積層した構造からなる。ベース部材(２)はフィルム様のものが好ましく、屋外等の環境下における使用に際しては耐光性・耐食性を有するものが望ましい。該ベース部材(２)の裏面には剥離フィルム(７)で表面を保護された接着層(６)が形成されており、該剥離フィルムを除去した後、任意の箇所に貼着することが出来る。第１の層(３)はベース部材表面に直接蓄光材を塗布するか、蓄光材を塗布したフィルムを積層し形成する。この場合いずれの方法にあっても、第１の層は現出させる所望の表示に倣って形成する必要がある。例えば、第１の層で「Ａ」の文字を現出させたい場合、ベース部材(２)上に前記文字通りに蓄光材を塗布するか、蓄光材が塗布されたフィルムをカッティングしてベース部材上に積層する。該第１の層(３)上に接着層(６)を介して積層されたシート状孔あき部材(４)の開孔(4a)の径は約０.９〜３.０mm程度が好ましく、開孔面積と非開孔面積の比率は３０％：７０％〜５０％：５０％が好ましいが、これに限定されるものではない。該開孔の径、面積比率は第１の層(３)の形状や大きさ、該層を形成する蓄光材の種類及び第２の層が現出させようとする表示等によって任意に設定することが出来、例えば１.１cm２あたりの開孔の個数を例えば２０個、４０個、６０個等としたシート状孔あき部材(４)を用いることで第１の層と第２の層の双方の表示を良好に現出させることが出来る。尚、開孔の形状は真円又は楕円のいずれであっても良く特に限定されるものではない。第１の層(３)とシート状孔あき部材(４)との間隙の接着剤層(５)は非開孔部のみに設けるか、若しくは、第１の層(３)が放つ光を透過することの出来る材料によりシート状孔あき部材(４)の裏面全てに設けることが可能であるが特に限定されるものではない。
【００２０】
図２は昼間若しくは暗所において表示体(１)に照明が当たっている明時の状態を示す図である。外光により第２の層(５)により現出された表示（図示の例では格子柄の模様）を容易に視認する出来るが、第１の層(３)はシート上孔あき部材(４)に遮られ、一部の開孔(4a)において第１の層の存在をわずかに確認出来る程度であるが、第１の層(３)の放つ光は明時には殆ど視認することは出来ないため第１の層(３)が現出している表示を視認することは出来ない。特に第１の層(３)を蓄光剤で形成した場合、該蓄光剤の色をベース部材(２)と同色にした場合には、シート孔あき部材(４)の開孔(4a)に見える色がベース部材(４)と同色に見えるため、第１の層(３)の存在を確認することはほぼ不可能となる。尚、第１の層(３)に蓄光剤を用いた場合には、このような昼間若しくは照明の当たっている暗所においてシート上孔あき部材(４)の開孔(4a)を通過した外光を蓄える。
【００２１】
図３は夜間や暗所において表示体(１)に照明等の外光が当たっていない、暗時の状態を示す図である。第２の層(５)は外光が存在しないため、該層の表示は視認することは出来ない。しかしながら、前記昼間の光を蓄積した第１の層(５)は自ら光を放ち、該放たれた光はシート状孔あき部材(４)の開孔(4a)を通して表示体(１)の外部にまで放出され、第１の層(３)の表示が（図示の例ではＡ，Ｂの文字）が現出する。シート状孔あき部材(４)の開孔(4a)以外の部分は光非透過性であるため、前記第１の層(３)により現出される表示は、複数の開孔の集まりにより構成されたようになり、ある程度の距離をおいて表示体(１)を見た時に表示をはっきりと視認することが出来る。尚、第１の層(３)、第２の層(５)の表示は前記例に限定されないことは当然であり、所望の表示を現出するように形成することが出来る。
【実施例２】
【００２２】
図４は第２実施例にかかる発明の断面図を示したものである。実施例１との相違は、第１の層の上に、シート状孔あき部材が存していないことである。すなわち、ベース部材(２)の表面に第１の層(３)を形成し、該第１の層(３)の表面を、光透過性インクで被覆するように所望の表示を現出する第２の層(５')が形成されている。ベース部材(２)の裏面は剥離フィルム(７)で表面を保護された接着層(６)が形成されているのも実施例１と同様である。
【００２３】
図５は実施例２の昼間若しくは暗所において表示体(１)に照明が当たっている明時の状態を示す図である。明時には第２の層(５')の表示（図示の例では格子柄の模様）を容易に視認することが出来るが、第１の層(３)が現出する表示は視認することが出来ない。該第２の層(５')は前述のとおり光透過性インクにより形成されているため、明時には該層(５')を通過した外光が第１の層(３)まで到達する。これにより第１の層(３)はその表面を第２の層(５')で被覆されているとしても光を蓄積することが可能である。尚、ベース部材(２)と第１の層(３)の色が異なると、明時であっても第１の層(３)の存在が確認出来てしまうので、第１の層(３)はベース部材(２)の色と同色とするのが好ましい。
【００２４】
図６は実施例２の夜間若しくは暗所において表示体(１)に照明等の光が当たっていない暗時の状態を示す図である。第２の層(５')は外光が存在しないため表示を視認することが出来ないが、第１の層(３)は、該層が放出する光が第２の層(５')を透過し外部に到達するので、第１の層(３)による現出された表示（図示の例ではＡ，Ｂの文字）を容易に視認出来る。本実施例においては、前記実施例１と異なり第１の層(３)上にシート状孔あき部材のような光を遮るものが存していないため、第１の層(３)の放つ光は全て外部に到達し、第１の層が現出する表示が細かなものであっても美麗に現出させることが出来る。
【００２５】
以上のように、本願発明の表示体は、明時と暗時で異なる表示を現出させることを目的としており、これは第１の層と第２の層のそれぞれの層が所望の表示を現出させるようになっていることにより達成される。前記実施例１，２では第１の層を蓄光材を用いて形成していたが、蓄光剤以外の材料で形成することも勿論可能である。すなわち、第１の層は暗時に光を放出することが出来るものであれば良く、例えば図示してはいないが、発光ダイオードを用いることも可能である。この場合、所望の表示に倣って発光ダイオードを配置して第１の層を形成する。尚、第１の層の上に形成する第２の層については前述の実施例１，２と同一である。又、発光ダイオードを用いた場合であっても全体として一枚のシート状に形成し、任意の箇所に貼着可能な構造とすることも可能であるが、該発光ダイオードはある程度の嵩があり、ベース部材上に直接配置したのでは第２の層を均一に形成することが難しくなるため、発光ダイオードをベース部材に埋め込むことが望ましいのでベース部材はある程度の厚み・硬さが必要となる。
【図面の簡単な説明】
【００２６】
【図１】実施例１にかかるシート状表示物の断面図
【図２】図１のシート状表示物の明時の状態を示す図
【図３】図１のシート状表示物の暗時の状態を示す図
【図４】実施例１にかかるシート状表示物の断面図
【図５】図４のシート状表示物の明時の状態を示す図
【図６】図４のシート状表示物の暗時の状態を示す図
【符号の説明】
【００２７】
(１)表示対
(２)ベース部材
(３)第１の層
(４)シート状孔あき部材
(4a)開孔
(５)第２の層
(６)接着層
(７)剥離層
【図１】
2005344441.tif 000003
【図２】
2005344441.tif 000004
【図３】
2005344441.tif 000005
【図４】
2005344441.tif 000006
【図５】
2005344441.tif 000007
【図６】
2005344441.tif 000008